(57)【要約】【課題】  ６ＧＨｚ帯においてＩＥＥＥ８０２．１１シリーズ規格に準拠した通信を行う際に、他の無線システムとの干渉を低減させる。【解決手段】  ６ＧＨｚ帯に含まれる所定の周波数チャネルで通信する際に、ＩＥＥＥ８０２．１１シリーズ規格に準拠した信号とは異なる信号を、６ＧＨｚ帯において検出した場合に、当該所定の周波数チャネルにおいて、ＩＥＥＥ８０２．１１シリーズ規格に準拠した信号を送信しないように制御する。【選択図】  図３
2020182080.tif 000002
【特許請求の範囲】
【請求項１】
通信装置であって、
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１シリーズ規格に準拠した信号とは異なる信号が６ＧＨｚ帯において存在するかを判定する第１の判定手段と、
前記通信装置が前記６ＧＨｚ帯に含まれる所定の周波数チャネルで通信する際に、前記第１の判定手段によりＩＥＥＥ８０２．１１シリーズ規格に準拠した信号とは異なる信号の存在が判定された場合に、当該所定の周波数チャネルにおいて、ＩＥＥＥ８０２．１１シリーズ規格に準拠した信号を送信しないように制御する制御手段と、
を有することを特徴とする通信装置。
【請求項２】
前記第１の判定手段によりＩＥＥＥ８０２．１１シリーズ規格に準拠した信号とは異なる信号が存在することが所定時間、判定されなかった場合、前記所定の周波数チャネルにおいて、ＩＥＥＥ８０２．１１ｂｅ規格に準拠した信号を送信する送信手段を更に有することを特徴とする請求項１に記載の通信装置。
【請求項３】
前記第１の判定手段によりＩＥＥＥ８０２．１１シリーズ規格に準拠した信号とは異なる信号の存在が判定された場合、前記送信手段は、前記所定の周波数チャネルとは異なる周波数チャネルにおいて、ＩＥＥＥ８０２．１１ｂｅ規格に準拠した信号を送信することを特徴とする請求項２に記載の通信装置。
【請求項４】
前記第１の判定手段は、前記６ＧＨｚ帯における複数の周波数チャネルにおいて、ＩＥＥＥ８０２．１１シリーズ規格に準拠した信号とは異なる信号が存在するかを判定することを特徴とする請求項１から３の何れか１項に記載の通信装置。
【請求項５】
前記通信装置がＩＥＥＥ８０２．１１シリーズ規格に準拠した通信を開始する際に、前記第１の判定手段による判定が開始されることを特徴とする請求項１から４のいずれか１項に記載の通信装置。
【請求項６】
前記通信装置がＩＥＥＥ８０２．１１シリーズ規格に準拠した通信を行っている際に、前記第１の判定手段は、ＩＥＥＥ８０２．１１シリーズ規格に準拠した信号とは異なる信号が存在するかを判定することを特徴とする請求項１から５のいずれか１項に記載の通信装置。
【請求項７】
前記６ＧＨｚ帯とは、５．９２５ＧＨｚから７．１２５ＧＨｚまでの周波数帯域であることを特徴とする請求項１から６のいずれか１項に記載の通信装置。
【請求項８】
前記通信装置の位置情報を取得する取得手段を更に有し、
前記取得手段により取得された前記位置情報に基づいて、前記第１の判定手段による判定を行うか否かを選択する選択手段を更に有することを特徴とする請求項１から７のいずれか１項に記載の通信装置。
【請求項９】
ＩＥＥＥ８０２．１１シリーズ規格に準拠した信号とは異なる信号には、固定無線または衛星通信のための信号が含まれることを特徴とする請求項１から８のいずれか１項に記載の通信装置。
【請求項１０】
ＩＥＥＥ８０２．１１シリーズ規格に準拠した信号とは異なる信号が、５ＧＨｚ帯において存在するかを判定する第２の判定手段を更に有することを特徴とする請求項１から９のいずれか１項に記載の通信装置。
【請求項１１】
前記第１の判定手段による判定処理と、前記第２の検出手段による判定処理とを、並行して行うことを特徴とする請求項１０に記載の通信装置。
【請求項１２】
前記第１の判定手段によりＩＥＥＥ８０２．１１シリーズ規格に準拠した信号とは異なる信号が存在することが判定された場合、ユーザに所定の通知を行う第１の通知手段を更に有することを特徴とする請求項１から１１のいずれか１項に記載の通信装置。
【請求項１３】
他の通信装置とＩＥＥＥ８０２．１１シリーズ規格に準拠した通信を行っている場合に、前記第１の判定手段によりＩＥＥＥ８０２．１１シリーズ規格に準拠した信号とは異なる信号が存在することが判定された場合、前記他の通信装置に所定の通知を行う第２の通知手段を更に有することを特徴とする請求項１から１２のいずれか１項に記載の通信装置。
【請求項１４】
前記通信装置は、ＩＥＥＥ８０２．１１シリーズ規格に準拠した無線ネットワークを構築する基地局であることを特徴とする請求項１から１３のいずれか１項に記載の通信装置。
【請求項１５】
前記通信装置は、ＩＥＥＥ８０２．１１シリーズ規格に準拠した無線ネットワークを構築する基地局と無線接続する子局であることを特徴とする請求項１から１３のいずれか１項に記載の通信装置。
【請求項１６】
通信装置の制御方法であって、
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１シリーズ規格に準拠した信号とは異なる信号が６ＧＨｚ帯において存在するかを判定する判定工程と、
前記通信装置が前記６ＧＨｚ帯に含まれる所定の周波数チャネルで通信する際に、前記判定工程においてＩＥＥＥ８０２．１１シリーズ規格に準拠した信号とは異なる信号の存在が判定された場合に、当該所定の周波数チャネルにおいて、ＩＥＥＥ８０２．１１シリーズ規格に準拠した信号を送信しないように制御する制御工程と、
を有することを特徴とする制御方法。
【請求項１７】
コンピュータを請求項１から１５のいずれか１項に記載の通信装置として動作させるためのプログラム。
【発明の詳細な説明】
【技術分野】
【０００１】
本発明は、ＩＥＥＥ８０２．１１シリーズ規格に準拠した無線通信における干渉抑制技術に関する。
【背景技術】
【０００２】
無線通信規格の一つとしてＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１シリーズ規格がある。特許文献１によれば、ＩＥＥＥ８０２．１１ａｘ規格ではＯＦＤＭＡにより最大９．６ギガビット毎秒（Ｇｂｐｓ）という高いピークスループットに加え、混雑状況下での通信速度向上を実現している。ここで、ＯＦＤＭＡとは、Ｏｒｔｈｏｇｏｎａｌ  ｆｒｅｑｕｅｎｃｙ−ｄｉｖｉｓｉｏｎ  ｍｕｌｔｉｐｌｅ  ａｃｃｅｓｓの略である。
【０００３】
また、無線通信の更なるスループット向上のためにＩＥＥＥ８０２．１１  ＥＨＴ（Ｅｘｔｒｅｍｅ  Ｈｉｇｈ  Ｔｈｒｏｕｇｈｐｕｔ）と呼ばれるＳｔｕｄｙ  Ｇｒｏｕｐが発足した。そこでは、スループット向上を実現するために、新たに６ＧＨｚ帯を用いて通信することが検討されている。
【先行技術文献】
【特許文献】
【０００４】
【特許文献１】特開２０１８−５０１３３号公報
【発明の概要】
【発明が解決しようとする課題】
【０００５】
しかしながら、固定無線や衛星通信など他の無線システムが６ＧＨｚ帯を既に使用していることから、新たに６ＧＨｚ帯を用いた通信を行った場合、これらの他の無線システムと干渉してしまうことが考えられる。
【０００６】
上記課題を鑑み、本発明は、６ＧＨｚ帯においてＩＥＥＥ８０２．１１シリーズ規格に準拠した通信を行う際に、他の無線システムとの干渉を低減させることを目的とする。
【課題を解決するための手段】
【０００７】
上記目的を達成するため、本発明の通信装置は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１シリーズ規格に準拠した信号とは異なる信号が６ＧＨｚ帯において存在するかを判定する第１の判定手段と、前記通信装置が前記６ＧＨｚ帯に含まれる所定の周波数チャネルで通信する際に、前記第１の判定手段によりＩＥＥＥ８０２．１１シリーズ規格に準拠した信号とは異なる信号の存在が判定された場合に、当該所定の周波数チャネルにおいて、ＩＥＥＥ８０２．１１シリーズ規格に準拠した信号を送信しないように制御する制御手段と、を有する。
【発明の効果】
【０００８】
本発明によれば、６ＧＨｚ帯においてＩＥＥＥ８０２．１１シリーズ規格に準拠した通信を行う際に、他の無線システムとの干渉を低減させることができる。
【図面の簡単な説明】
【０００９】
【図１】ネットワーク構成図。
【図２】通信装置のハードウェア構成図。
【図３】ＡＰ１０２が実現するフローチャート。
【発明を実施するための形態】
【００１０】
図１に、本実施形態のネットワーク構成図を示す。ＡＰ１０２は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｂｅ規格に準拠した無線ネットワーク１０１を構築するアクセスポイントである。なお、ＩＥＥＥ８０２．１１ｂｅ規格とは、ＩＥＥＥ８０２．１１  ＥＨＴのＳｔｕｄｙ  Ｇｒｏｕｐによって策定される規格である。ここで、ＥＨＴとは、Ｅｘｔｒｅｍｅ  Ｈｉｇｈ  Ｔｈｒｏｕｇｈｐｕｔの略である。ＡＰ１０２は、ＩＥＥＥ８０２．１１ｂｅ規格に準拠したアクセスポイント（Ａｃｃｅｓｓ  Ｐｏｉｎｔ）であり、ＩＥＥＥ８０２．１１シリーズ規格に準拠した各種無線信号を送受信する。
【００１１】
また、ＳＴＡ１０３は、ＡＰ１０２と無線接続し、無線ネットワーク１０１において通信するステーション（Ｓｔａｔｉｏｎ）である。なお、ＡＰ１０２は、アクセスポイントに限らず、Ｗｉ−Ｆｉ  Ｄｉｒｅｃｔ規格に準拠したＧｒｏｕｐ  Ｏｗｎｅｒであってもよく、基地局と称することができる。また、ＳＴＡ１０３は、Ｗｉ−Ｆｉ  Ｄｉｒｅｃｔ規格に準拠したＣｌｉｅｎｔであってもよく、子局と称することができる。以下では、基地局と子局の総称として、通信装置と称する。
【００１２】
なお、このネットワーク構成は一例であり、例えば、更に多数のＥＨＴ対応の、即ち、ＥＨＴに準拠した通信装置や、レガシー機器を含んでもよい。また、通信装置の位置関係についても図１の構成に限られず、動的に位置関係が変化してもよい。なお、レガシー機器とは、ＩＥＥＥ８０２．１１ａ，ｂ，ｇ，ｎ，ａｃ，ａｘの少なくともいずれかに対応しており、ＥＨＴ非対応の通信装置のことである。
【００１３】
図２に、本実施形態に係る通信装置（ＡＰ１０２およびＳＴＡ１０３の各々）のハードウェア構成を示す。通信装置は、記憶部２０１、制御部２０２、機能部２０３、入力部２０４、出力部２０５、通信部２０６及び無線アンテナ（以下、単にアンテナと称する）２０７、２０８を有する。
【００１４】
記憶部２０１は、ＲＯＭやＲＡＭなどの１以上のメモリ等により構成され、後述する各種動作を行うためのコンピュータプログラムや、無線通信のための通信パラメータなどの各種情報を記憶する。ＲＯＭはＲｅａｄ  Ｏｎｌｙ  Ｍｅｍｏｒｙの、ＲＡＭはＲａｎｄｏｍ  Ａｃｃｅｓｓ  Ｍｅｍｏｒｙの各々略である。なお、記憶部２０１として、ＲＯＭ、ＲＡＭ等のメモリの他に、フレキシブルディスク、ハードディスク、光ディスク、光磁気ディスク、ＣＤ−ＲＯＭ、ＣＤ−Ｒ、磁気テープ、不揮発性のメモリカード、ＤＶＤなどの記憶媒体を用いてもよい。
【００１５】
制御部２０２は、ＣＰＵやＭＰＵなどの１以上のプロセッサにより構成され、記憶部２０１に記憶されたコンピュータプログラムを実行することにより通信装置全体を制御する。ＣＰＵはＣｅｎｔｒａｌ  Ｐｒｏｃｅｓｓｉｎｇ  Ｕｎｉｔの、ＭＰＵはＭｉｃｒｏ  Ｐｒｏｃｅｓｓｉｎｇ  Ｕｎｉｔの各々略であり、コンピュータとして機能する。なお、制御部２０２は、記憶部２０１に記憶されたプログラムとＯＳとの協働により通信装置全体を制御するようにしてもよい。また、制御部２０２がマルチコアなどの複数のプロセッサを備え、複数のプロセッサにより通信装置全体を制御するようにしてもよい。また、ＡＳＩＣ（特定用途向け集積回路）、ＤＳＰ（デジタルシグナルプロセッサ）、ＦＰＧＡ（フィールドプログラマブルゲートアレイ）等を含んで構成されてもよい。また、制御部２０２は、機能部２０３を制御して、撮像や印刷、投影等の所定の処理を実行する。
【００１６】
機能部２０３は、通信装置が所定の処理を実行するためのハードウェアである。例えば、通信装置がカメラである場合、機能部２０３は撮像部であり、撮像処理を行う。また、例えば、通信装置がプリンタである場合、機能部２０３は印刷部であり、印刷処理を行う。また、例えば、通信装置がプロジェクタである場合、機能部２０３は投影部であり、投影処理を行う。機能部２０３が処理するデータは、記憶部２０１に記憶されているデータであってもよいし、後述する通信部２０６を介して他の通信装置と通信したデータであってもよい。なお、通信装置が機能部２０３を有さない構成であってもよい。
【００１７】
入力部２０４は、ユーザからの各種操作の受付を行う。出力部２０５は、ユーザに対して各種出力を行う。ここで、出力部２０５による出力とは、画面上への表示や、スピーカーによる音声出力、振動出力等の少なくとも１つを含む。なお、タッチパネルのように入力部２０４と出力部２０５の両方を１つのモジュールで実現するようにしてもよい。また、入力部２０４や出力部２０５を有さない構成であってもよい。
【００１８】
通信部２０６は、ＩＥＥＥ８０２．１１シリーズ規格に準拠した無線通信の制御や、ＩＰ通信の制御を行う。また、通信部２０６はアンテナ２０７、２０８を制御して、無線通信のための無線信号の送受信を行う。通信装置は通信部２０６を介して、画像データや文書データ、映像データ等のコンテンツを他の通信装置と通信する。なお、通信装置は、アンテナを複数本、有する構成に限らず、１本のみ有する構成であってもよい。
【００１９】
アンテナ２０７、２０８は、２．４ＧＨｚ帯、３．６ＧＨｚ帯、４．９及び５ＧＨｚ帯、６ＧＨｚ帯及び６０ＧＨｚ帯の少なくとも何れかにおいて無線信号を送受信可能なアンテナであり、対応する周波数帯の組み合わせは限定されない。ただしアンテナ２０７、２０８の少なくとも何れかは、６ＧＨｚ帯において無線信号を送受信可能である。また、通信装置は、アンテナ２０７、２０８を用いてＭＩＭＯ（Ｍｕｌｔｉ−Ｉｎｐｕｔ  ａｎｄ  Ｍｕｌｔｉ−Ｏｕｔｐｕｔ）通信を行うことが可能であってもよい。
【００２０】
図３に、ＡＰ１０２が実現するフローチャートを示す。図３に示すフローチャートは、ＡＰ１０２の電源が投入された場合に開始される。なお、電源投入に限らず、ユーザ操作等により、６ＧＨｚ帯の無線通信の開始を指示された場合等に開始されるようにしてもよい。
【００２１】
なお、図３に示すフローチャートは、ＡＰ１０２の記憶部２０１に記憶されたプログラムを制御部２０２が読み出して実行することで実現される。なお、図３のフローチャートに示すステップの一部または全部を例えばＡＳＩＣ等のハードウェアで実現する構成としても良い。ここで、ＡＳＩＣとは、Ａｐｐｌｉｃａｔｉｏｎ  Ｓｐｅｃｉｆｉｃ  Ｉｎｔｅｇｒａｔｅｄ  Ｃｉｒｃｕｉｔの略である。
【００２２】
まず、ＡＰ１０２は６ＧＨｚ帯の通信に使用する周波数チャネルを設定する（Ｓ３０１）。具体的には、ユーザが設定した周波数チャネル、ＡＰ１０２が選択した周波数チャネル、あるいは、デフォルトの周波数チャネルが設定される。ＡＰ１０２が周波数チャネルを選択する場合、例えば、ランダムに周波数チャネルを選択したり、無線の混雑していない周波数チャネルを選択したりすればよい。
【００２３】
無線の混雑状況を取得する方法として、各周波数チャネルにおいて、所定時間、ＩＥＥＥ８０２．１１シリーズ規格に準拠した信号を待ち受け、当該信号を受信した回数や、当該信号を受信している長さの合計を計測する方法がある。この場合、回数がより少ない周波数チャネル、もしくは、信号を受信している長さの合計がより短い周波数チャネルが、無線の混雑していない周波数チャネルとして選択されることになる。また、他のＡＰが無線ネットワークを構築している周波数チャネルの情報を取得し、無線の混雑状況を取得するようにしてもよい。他のＡＰが無線ネットワークを構築している周波数チャネルの情報は、他のＡＰから送信されるビーコンにより取得する他、Ｗｉ−Ｆｉ  ＥＡＳＹ  ＭＥＳＨ規格に準拠した信号を送受信することで取得するようにしてもよい。
【００２４】
なお、ＡＰ１０２は、無線の混雑状況を取得する際に、他の無線システムが送信する信号を検出できるように制御し、当該信号を検出した場合には、当該信号を検出した周波数チャネルは除外して、周波数チャネルの選択を行うようにしてもよい。
【００２５】
次に、ＡＰ１０２は、設定した周波数チャネルが指定周波数区間に含まれているか否かを判定する（Ｓ３０２）。指定周波数区間とは、例えば５．９２５ＧＨｚから６．４２５ＧＨｚの区間、６．４２５ＧＨｚから６．５２５ＧＨｚの区間、６．５２５ＧＨｚから６．８７５ＧＨｚの区間、および、６．８７５ＧＨｚから７．１２５ＧＨｚの区間のことである。なお、これら複数の区間のうちの一部の区間のみを指定周波数区間としてもよい。例えば、ＧＰＳなどによりＡＰ１０２の現在位置情報を取得し、位置情報から導き出されるＡＰ１０２の属する国や地域の規制に合わせた区間を、指定周波数区間としてもよい。ここで、ＧＰＳとは、Ｇｌｏｂａｌ  Ｐｏｓｉｔｉｏｎｉｎｇ  Ｓｙｓｔｅｍの略である。なお、指定周波数区間として、６ＧＨｚ帯の全区間である５．９２５ＧＨｚから７．１２５ＧＨｚまでの区間としてもよい。
【００２６】
設定した周波数チャネルが指定周波数区間に含まれていない場合（Ｓ３０２のＮｏ）、後述するステップＳ３０６の処理に進む。
【００２７】
設定した周波数チャネルが指定周波数区間に含まれている場合（Ｓ３０２のＹｅｓ）、ＡＰ１０２は、設定した周波数チャネル上で、他の無線システムが送信する信号の有無を、所定時間、判定する（Ｓ３０３）。なお、当該判定が終わるまで、ＡＰ１０２は、少なくとも当該周波数チャネル上では、ＩＥＥＥ８０２．１１シリーズ規格に準拠した信号を送信しないようにする。他の無線システムと干渉してしまうことを防ぐためである。
【００２８】
ここで、他の無線システムとは例えば、固定無線や衛星通信のことであるが、これに限らず、海上移動通信、航空移動通信、アマチュア無線などが含まれる。また、他の無線システムが送信する信号の有無を判定する具体的な方法として、ＡＰ１０２は、設定した周波数チャネルにおけるエネルギーを測定し、当該エネルギーが所定の閾値を超えるかを判定すればよい。即ち、所定の閾値以上のエネルギーが測定された場合には、他の無線システムが送信する信号があると判定し、所定の閾値を超えるエネルギーが測定されなかった場合には、他の無線システムが送信する信号がないと判定する。
【００２９】
なお、ＡＰ１０２は、ＩＥＥＥ８０２．１１シリーズ規格に準拠した信号を識別することができる。従って、ＩＥＥＥ８０２．１１シリーズ規格に準拠した信号の受信中は、当該信号のエネルギーを除いて判定する、もしくは、信号を受信している期間中は判定を行わないことで、ＡＰ１０２は他の無線システムが送信する信号の有無を判定できる。
【００３０】
他の無線システムが送信する信号が存在すると判定された場合（Ｓ３０３のＹｅｓ）、ＡＰ１０２は、ステップＳ３０１にて設定された周波数チャネルが、ユーザが設定したチャネルであるかを判定する（Ｓ３０４）。ユーザが設定したチャネルではない場合（Ｓ３０４のＮｏ）、ステップＳ３０１に戻り、ＡＰ１０２は、設定する周波数チャネルの再選択を行う。この場合、選択される周波数チャネルの候補から、他の無線システムが送信する信号があると判定された周波数チャネルは除外される。ここでは、すぐにステップＳ３０１に戻るようにするが、所定時間が経過するのを待ってから、ステップＳ３０１に戻るようにしてもよい。所定時間が経過するのを待った場合には、他の無線システムが送信する信号があると判定された周波数チャネルを除外しなくてもよい。時間の経過とともに、周囲の無線状況が変わっている可能性があり、このような場合においては同じ周波数チャネルで通信できる可能性があるためである。
【００３１】
また、ユーザが設定したチャネルである場合（Ｓ３０４のＹｅｓ）、ＡＰ１０２は、ＩＥＥＥ８０２．１１シリーズ規格に準拠した信号を送信することなく（Ｓ３０５）、図３に示す処理を終了する。なお、この場合に、他の無線システムの信号が検出されたことにより、ＩＥＥＥ８０２．１１シリーズ規格に準拠した通信、即ち、Ｗｉ−Ｆｉ通信ができない旨をユーザに通知するようにしてもよい。また、所定時間経過後に、ステップＳ３０１に戻り、ＡＰ１０２は処理を再開するようにしてもよい。この場合、選択される周波数チャネルの候補から、他の無線システムが送信する信号があると判定された周波数チャネルを除外する必要はない。所定時間が経過することによって、周囲の無線状況が変わっている可能性があるからである。
【００３２】
また、ユーザが設定したチャネルである場合であっても、ステップＳ３０１に戻り、ＡＰ１０２は、設定する周波数チャネルの再選択を行うようにしてもよい。例えば事前にユーザから、他の無線システムの信号が存在した場合に新たに用いる周波数チャネルを設定されている場合には、ステップＳ３０１に戻るようにしてもよい。また、例えば、他の無線システムの信号が存在した場合に自動で周波数チャネルを変更するモードが設定されている場合には、ステップＳ３０１に戻るようにしてもよい。また、例えば、ステップＳ３０１に戻った上で、他の無線システムの信号が存在した周波数チャネルとは別の周波数チャネルを、新たにユーザに選択させるようにしてもよい。
【００３３】
また、ステップＳ３０４の判定をすることなく、ステップＳ３０１に戻るようにしてもよい。なお、このようにしてステップＳ３０１に戻った場合、選択される周波数チャネルの候補から、他の無線システムが送信する信号があると判定された周波数チャネルは除外される。ここでは、すぐにステップＳ３０１に戻るようにするが、所定時間が経過するのを待ってから、ステップＳ３０１に戻るようにしてもよい。所定時間が経過するのを待った場合には、他の無線システムが送信する信号があると判定された周波数チャネルを除外しなくてもよい。
【００３４】
次に、他の無線システムが送信する信号がないと判定された場合（Ｓ３０３のＮｏ）について説明する。この場合、ＡＰ１０２は、当該設定された周波数チャネル上において、ＡＰ１０２は、ＩＥＥＥ８０２．１１シリーズ規格に準拠した信号の送信を開始し、無線ネットワーク１０１を構築する（Ｓ３０６）。ここで送信される信号は、例えば、ＩＥＥＥ８０２．１１シリーズ規格に準拠したＢｅａｃｏｎフレームである。Ｂｅａｃｏｎフレームは、Ｂｅａｃｏｎ  Ｉｎｔｅｒｖａｌによって規定される周期（例えば、１００ミリ秒）ごとに送信され、無線ネットワーク１０１の識別情報であるＳＳＩＤや、設定された周波数チャネル（オペレーティングチャネル）の情報を含む。なお、周波数チャネルの情報は、ＤＳＳＳ  Ｐａｒａｍｅｔｅｒ  Ｓｅｔの要素としてＢｅａｃｏｎフレームに含まれる。ここで、ＳＳＩＤは、Ｓｅｒｖｉｃｅ  Ｓｅｔ  ＩＤｅｎｔｉｆｉｅｒの略である。また、ＤＳＳＳは、Ｄｉｒｅｃｔ  Ｓｅｑｕｅｎｃｅ  Ｓｐｒｅａｄ  Ｓｐｅｃｔｒｕｍの略である。しかし、これに限らず、周波数チャネルの情報は、他の要素としてＢｅａｃｏｎフレームに含まれていてもよいし、Ｂｅａｃｏｎフレームとは異なる他のフレーム（Ｐｒｏｂｅ  Ｒｅｓｐｏｎｓｅ等）に含まれていてもよい。
【００３５】
また、ＡＰ１０２は、該周波数チャネル上において、ＩＥＥＥ８０２．１１シリーズ規格に準拠したＰｒｏｂｅ  Ｒｅｓｐｏｎｓｅ、Ａｓｓｏｃｉａｔｉｏｎ  Ｒｅｓｐｏｎｓｅ、Ｒｅａｓｓｏｃｉａｔｉｏｎ  Ｒｅｓｐｏｎｓｅフレーム等の信号も送信する。例えば、ＳＴＡ１０３から、探索信号であるＩＥＥＥ８０２．１１シリーズ規格に準拠したＰｒｏｂｅ  Ｒｅｑｕｅｓｔフレームを受信した場合、ＡＰ１０２は探索応答信号であるＰｒｏｂｅ  Ｒｅｓｐｏｎｓｅフレームを送信する。また、ＳＴＡ１０３から、接続要求信号であるＩＥＥＥ８０２．１１シリーズ規格に準拠したＡｓｓｏｃｉａｔｉｏｎ  Ｒｅｑｕｅｓｔフレームを受信した場合、ＡＰ１０２は接続応答信号であるＡｓｓｏｃｉａｔｉｏｎ  Ｒｅｓｐｏｎｓｅフレームを送信する。このようにして、ＡＰ１０２とＳＴＡ１０３との間の無線接続が確立され（Ｓ３０７）、無線ネットワーク１０１を介して無線通信を行うことができるようになる。
【００３６】
また、ＡＰ１０２とＳＴＡ１０３との間で暗号を用いたセキュアな通信を行う場合には、更にＷＰＡ（Ｗｉ−Ｆｉ  Ｐｒｏｔｅｃｔｅｄ  Ａｃｃｅｓｓ）、ＷＰＡ２、ＷＰＡ３などの処理を行ってもよい。このようにして無線接続が確立されると、ＡＰ１０２とＳＴＡ１０３との間で、６ＧＨｚ帯の無線ネットワーク１０１を介して、ＩＥＥＥ８０２．１１シリーズ規格に準拠した信号の送受信により、データ通信を行う（Ｓ３０８）。なお、レガシー機器は、６ＧＨｚ帯においてＩＥＥＥ８０２．１１シリーズ規格に準拠した信号の送受信は行わないため、ここでは、ＩＥＥＥ８０２．１１ｂｅ以降の規格に準拠した信号が用いられる。
【００３７】
このようにして、ＡＰ１０２は、６ＧＨｚ帯を利用する他の無線システムとの干渉を防ぎつつ、ＩＥＥＥ８０２．１１シリーズ規格に準拠した通信を開始することができる。なお、６ＧＨｚ帯を利用する他の無線システムの信号が検出された場合、その旨をユーザに通知するようにしてもよい。これにより、ユーザの利便性を高めることができる。
【００３８】
また、ＡＰ１０２は、６ＧＨｚ帯において複数の周波数チャネルを用いて通信するようにしてもよい。この場合、ＡＰ１０２は、複数の周波数チャネルの全部または一部のチャネルが指定周波数区間に含まれることを確認する。そして、指定周波数区間に含まれる１以上の周波数チャネルにわたって、他の無線システムが送信する信号の有無を、所定時間、判定する。このようにして、６ＧＨｚ帯において複数の周波数チャネルを用いる場合であっても、他の無線システムとの干渉を防ぎつつ、ＩＥＥＥ８０２．１１シリーズ規格に準拠した通信を開始することができる。
【００３９】
また、ＡＰ１０２は、６ＧＨｚ帯での通信に加え、２．４ＧＨｚ帯や５ＧＨｚ帯を用いた他の通信を並行して行ってもよい。即ち、ＡＰ１０２は、６ＧＨｚ帯の無線ネットワーク１０１に加え、２．４ＧＨｚ帯や５ＧＨｚ帯を用いた他の無線ネットワークも構築することになる。
【００４０】
この場合、ステップＳ３０１において設定された周波数チャネルが指定周波数区間に含まれている場合には、ＡＰ１０２は、５ＧＨｚ帯におけるＷ５３およびＷ５６とは異なる帯域の周波数チャネルを用いて他の通信を行うように制御する。即ち、５ＧＨｚ帯においてレーダー信号の有無を判定するＤＦＳ（Ｄｙｎａｍｉｃ  Ｆｒｅｑｕｅｎｃｙ  Ｓｅｌｅｃｔｉｏｎ）を必要とする帯域とは異なる帯域の周波数チャネルを用いて他の通信を行うように制御する。これにより、ＡＰ１０２は、６ＧＨｚ帯において他の無線システムの信号の有無を判定している間に、２．４ＧＨｚ帯等を用いる他の通信を先行して開始することができる。従って、ＳＴＡ１０３と早期にＩＥＥＥ８０２．１１シリーズ規格に準拠した通信を開始することができ、ユーザの利便性が向上する。
【００４１】
また、このようにＡＰ１０２がＳＴＡ１０３との間で、６ＧＨｚ帯での通信に加え、２．４ＧＨｚ帯や５ＧＨｚ帯を用いた他の通信を並行して行う場合、各周波数帯域における通信方法を動的に変更してもよい。例えば、先行して接続された２．４ＧＨｚ帯や５ＧＨｚ帯を用いた他の通信において、ＡＰ１０２は、まずＳＴＡ１０３との無線接続を確立し、当該他の通信において、アップリンクおよびダウンリンクの通信を行う。ここで、アップリンク通信とは、ＳＴＡ１０３からＡＰ１０２へデータを送信する通信をいう。また、ダウンリンク通信とは、ＡＰ１０２からＳＴＡ１０３へデータを送信する通信をいう。そして、６ＧＨｚ帯においてＡＰ１０２とＳＴＡ１０３との無線接続が確立できた場合には、例えば、６ＧＨｚ帯における通信をダウンリンク通信専用として用い、他の通信をアップリンク通信専用として用いるようにしてもよい。ここで、６ＧＨｚ帯における通信をアップリンク通信専用として用い、他の通信をダウンリンク通信専用として用いるようにしてもよい。このように、各周波数帯域における通信方法を動的に変更することで、６ＧＨｚ帯における他の無線システムとの干渉を防ぎつつ、複数の周波数帯域を有効に利用することができる。
【００４２】
また、このように先に２．４ＧＨｚ帯や５ＧＨｚ帯を用いた他の通信を行う場合、ＡＰ１０２は、２．４ＧＨｚ帯や５ＧＨｚ帯においてビーコンを送信する。この場合、６ＧＨｚ帯において他の無線システムの信号がないことを判定した後に、当該ビーコンに６ＧＨｚ帯において無線ネットワークを構築していること、あるいは、６ＧＨｚ帯での通信が可能であることを示す情報を含めるようにしてもよい。また、当該情報に加えて、もしくは代えて、他の無線システムの信号がないことを判定した周波数チャネルの情報をビーコンに含めるようにしてもよい。なお、６ＧＨｚ帯において他の無線システムの信号がないことが判定されるまでは、ビーコンに当該情報を含めない。このようにすることで、ＡＰ１０２は２．４ＧＨｚ帯等で通信しているＳＴＡに対し、適切なタイミングで、利用可能な６ＧＨｚ帯の周波数チャネルを共有することができる。
【００４３】
なおＡＰ１０２が、５ＧＨｚ帯におけるＷ５３およびＷ５６の周波数チャネルを用いて他の通信を行うようにしてもよい。この場合、ＡＰ１０２は、ステップＳ３０３における６ＧＨｚ帯における他の無線システムの信号の有無の判定処理と並行して、５ＧＨｚ帯におけるレーダー信号の有無を判定するＤＦＳに準拠した判定処理を行う。これにより、６ＧＨｚ帯における他の無線システムの信号の有無の判定と、ＤＦＳの処理とを順に行う場合と比べ、より早期にＳＴＡ１０３とＩＥＥＥ８０２．１１シリーズ規格に準拠した通信を開始することができる。
【００４４】
また、ステップＳ３０８によるデータ通信の開始後も継続して、もしくは、定期的に、ＡＰ１０２がステップＳ３０３と同様の処理を行うようにしてもよい。この場合において、他の無線システムの信号が存在することが判定されるまでは、ＡＰ１０２は、Ｂｅａｃｏｎフレーム等の送信や、データ通信を行う。そして、他の無線システムの信号が存在すると判定されると、ＡＰ１０２は、ＩＥＥＥ８０２．１１シリーズ規格に準拠した信号の送信を停止する。この際、ＡＰ１０２は、接続しているＳＴＡ１０３に対して、ＩＥＥＥ８０２．１１シリーズ規格に準拠した信号の送信停止を通知してから、信号の送信を停止するようにしてもよい。また、他の無線システムの信号が存在した場合に、新たに利用する周波数チャネルが決まっている場合には、当該新たに利用する周波数チャネルの情報を、含めて当該通知を行うようにしてもよい。これにより、ＳＴＡ１０３は、いずれの周波数チャネルでＡＰ１０２との通信を継続できるかを知ることができ、通信が切断される時間を短くすることができる。これにより、ユーザの利便性が向上する。また、他の無線システムの信号が存在した場合に、その旨、もしくは、通信が停止することをユーザに通知するようにしてもよい。このようにしても、ユーザの利便性が向上する。なお、データ通信に用いられる周波数チャネルが指定周波数区間外である場合（Ｓ３０２でＮｏとなる場合）には、データ通信の開始後であってもＡＰ１０２はステップＳ３０３と同様の処理を行う必要はない。
【００４５】
また、データ通信の開始後も継続して、もしくは、定期的に、ＡＰ１０２がステップＳ３０３と同様の処理を行う場合において、ステップＳ３０２およびＳ３０３の処理を省略し、ステップＳ３０１からＳ３０６に進むようにしてもよい。即ち、信号送信開始前における他の無線システムの信号の存在判定を行うことなく、ＡＰ１０２は、ＩＥＥＥ８０２．１１シリーズ規格に準拠した信号の送信を開始する。これにより、ＡＰ１０２は、より早くＳＴＡ１０３とのデータ通信を開始することができるので、ユーザの利便性が向上する。なお、６ＧＨｚ帯については、信号送信開始前における他の無線システムの信号の存在判定を省略した場合であっても、ＡＰ１０２は、５ＧＨｚ帯における信号送信開始前にはＤＦＳを行うものとする。このような構成によっても、他の無線システムと干渉を低減した柔軟な通信を行うことが可能となる。
【００４６】
また、ＡＰ１０２がＳＴＡ１０３との間で、６ＧＨｚ帯での通信に加え、２．４ＧＨｚ帯や５ＧＨｚ帯を用いた他の通信を並行して行っている場合に、他の無線システムの信号の有無を判定してもよい。この場合において、６ＧＨｚ帯において他の無線システムの信号の存在が判定されると、６ＧＨｚ帯における通信を停止し、他の周波数帯域における通信は継続される。また、例えば６ＧＨｚ帯における通信をダウンリンク通信専用として用い、他の通信をアップリンク通信専用として用いている際に、６ＧＨｚ帯において他の無線システムの信号の存在が判定されると、６ＧＨｚ帯における通信を停止する。そして、当該他の通信において、アップリンクおよびダウンリンクの通信を行うように制御してもよい。
【００４７】
また、このような複数の周波数帯域を用いてＡＰ１０２とＳＴＡ１０３とが通信している場合において、６ＧＨｚ帯において他の無線システムの信号の存在が判定されることに加え、５ＧＨｚ帯におけるＤＦＳによりレーダー信号の存在が判定されることもある。これは、他の通信として、５ＧＨｚ帯のＷ５３もしくはＷ５６において通信している場合である。このような場合において、６ＧＨｚ帯もしくは５ＧＨｚ帯において他の無線システムの信号の存在が判定された場合に、他の無線システムの影響により、通信速度が低下する旨の通知をユーザにするようにしてもよい。この場合、６ＧＨｚ帯において他の無線システムの信号の存在が判定された場合であっても、５ＧＨｚ帯におけるＤＦＳによりレーダー信号の存在が判定された場合であっても、同じ通知を行うようにしてもよい。また、上記の判定により６ＧＨｚ帯もしくは５ＧＨｚ帯において他の無線システムの信号の存在が判定された場合に、ＡＰ１０２は、その旨をＳＴＡ１０３に通知するようにしてもよい。この場合、６ＧＨｚ帯もしくは５ＧＨｚ帯のいずれで他の無線システムの信号の存在が判定されたかをＳＴＡ１０３が判別可能なように通知する。これにより、ＳＴＡ１０３は、複数の周波数帯域を用いてＡＰ１０２と通信している場合であっても、適切な周波数帯域の通信を停止することができる。
【００４８】
また、上記の実施形態では、ＡＰ１０２が、図３に示すフローチャートを実現するものとして説明した。しかし、これに限らず、ＳＴＡ１０３が同様の処理を行ってもよい。この場合、ステップＳ３０１においては、接続すべきＡＰ１０２が構築している無線ネットワーク１０１の周波数チャネルを設定することになる。なお、ＳＴＡ１０３は予め無線ネットワーク１０１の周波数チャネルを記憶していてもよいし、全チャネルスキャンを行うことで、無線ネットワーク１０１の周波数チャネルを取得するようにしてもよい。この場合、他の無線システムとの干渉を防ぐため、ＡＰ１０２からのＢｅａｃｏｎフレームの受信を待ち受けるパッシブスキャンを行うことが好ましい。なお、パッシブスキャンにおいては、ＳＴＡ１０３は、ＩＥＥＥ８０２．１１シリーズ規格に準拠したＰｒｏｂｅ  Ｒｅｑｕｅｓｔフレーム等の送信を行わない。
【００４９】
また、ステップＳ３０６においては、ＳＴＡ１０３は、Ｂｅａｃｏｎフレームを送信するのではなく、探索信号の送信を開始することになる。また、ステップＳ３０７においては、接続要求信号を送信し、応答信号を受信することにより、ＡＰ１０２との接続処理が行われる。なお、ＳＴＡ１０３は周波数チャネルの情報を、ＤＳＳＳ  Ｐａｒａｍｅｔｅｒ  Ｓｅｔの要素として探索信号（Ｐｒｏｂｅ  Ｒｅｑｕｅｓｔフレーム）や、接続要求信号（Ａｓｓｏｃｉａｔｉｏｎ  Ｒｅｑｕｅｓｔフレーム）に含めてもよい。
【００５０】
以上のようにして、ＡＰ１０２とＳＴＡ１０３とが無線接続した後においても、他の無線システムと干渉を低減した柔軟な通信を行うことが可能となる。
【００５１】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００５２】
１０１  無線ネットワーク
１０２  ＡＰ
１０３  ＳＴＡ
【図１】
2020182080.tif 000003
【図２】
2020182080.tif 000004
【図３】
2020182080.tif 000005